(57)【要約】【課題】従来、ビジネス社会に於いて、対面者双方が名刺交換しても日付等の記録がない為、他の手段、主に手書等で記入するか、後に記憶を辿るかで顧客の管理が不確定であった。本発明は名刺等に日付等が記録され対面者双方の手間を省き、正確な名刺の管理ができ、後に記憶を辿ることなく交換日を確認する事ができる印字機を提供する。【解決手段】本発明は本体フレームの前方にインクドラム、及びインクドラムに接触する印字ゴムベルトを巻いた角柱ロールと円柱ロールを後方に配置し、上部カバーには角柱ロールを９０度回転させる為のラックギヤを設けたスライド把手を組み込み、上部カバー、下部受け台をスプリングでくの字状に開いた状態で、挿入ガイドに挿入された名刺に上部と下部で挟むことによって印字できる印字機。【選択図】図１
2012240410.tif 000002
【特許請求の範囲】
【請求項１】
本体フレームの前方にインクの含浸部を施したインクドラムを設け、その後方にインクドラムに接するように周囲面に印字ゴムベルトを巻いた角柱ロール、及び一方の印字ゴムベルトを支持する円柱ロールをその後方に配置し、角柱ロールに固定されたギヤに噛合うようにラックギヤを設けたスライド把手を前方にスライドすることにより、角柱ロールが９０度回転すると同時に印字ゴムベルト上の設定済み印字文字面がインクドラムから下方に９０度回転して、本体上部と印字をする用紙をセットする下部を挟む事で用紙に印字でき、印字後角柱ロールが９０度戻りインクドラムに接触し、次の動作の為の設定印字文字面にインクの補充ができる印字機。
【発明の詳細な説明】
【技術分野】
【０００１】本発明は、ビジネス社会に於いて、名刺の交換時にこの印字機にて日付等を印字し、面者双方に記録を残すものである。
【背景技術】
【０００２】従来、ビジネス社会に於いて、対面者双方が名刺交換しても日付等の記録がない為、他の手段、主に手書等で記入するか、後に記憶を辿るかで顧客の管理が不確定であった。なお、複数の円周に凸ゴム印を施した円柱盤を内蔵したくの字に開閉するハウジングで、くの字の下部にインクパッドを設けた名刺用日付印が知られている。（特許文献１参照）
【先行技術文献】
【特許文献】
【０００３】
【特許文献１】特許公開  ２００７−１１２１０３
【発明の概要】
【発明が解決しようとする課題】
【０００４】従来、ビジネス社会に於いて対面者双方が名刺交換しても日付等の記録がない為、他の手段、主に手書等で記入するか後に記憶を辿るかで顧客の名刺管理が不確定であった。本発明は以上の問題点を解決する為になされたものである。
【課題を解決するための手段】
【０００５】本発明は本体フレームの前方にインクドラム、及びインクドラムに接触する印字ゴムベルトを巻いた角柱ロールと円柱ロールを後方に配置し、上部カバーには角柱ロールを９０度回転させる為のラックギヤを設けたスライド把手を組み込み、上部、下部をスプリングでくの字状に開いた状態で使用する。使用する印字はラッチカバーを開いてラッチにて印字ベルトを回転させ印字ベルトの印字文字面と連動している設定表示面を確認しながら設定する。使用する印字文字面は常時インクドラムのパッドに接触しており、使用時にスライド把手を前方にスライドさせる事に依り角柱ロールが９０度回転し、使用印字文字面が下方に移動、本体上部、下部を挟むことによって、挿入ガイドへ挿入された用紙に印字される。印字後はスプリングに依り角柱ロールは印字ベルトと一緒に９０度逆回転し、一方向だけに回転するインクドラムのインク含浸部と接触状態に戻りインクの補充ができる印字機。
【発明の効果】
【０００６】本発明の印字機を使用する毎に、名刺に日付等が記録され対面者双方の手間を省き、正確な名刺管理ができ、後に記憶を辿ることなく交換日を確認する事ができる。
【図面の簡単な説明】
【０００７】
【図１】斜視図
【図２】側面図
【図３】分解図
【図４】作動図（スライド前）
【図５】作動図（スライド後）
【図６】平面図
【図７】印字ゴムベルト
【図８】拡大図（ラッチ部分）
【図９】インクドラム分解斜視図
【図１０】角柱ロール分解斜視図
【発明を実施するための形態】
【０００８】  本発明の実施の形態を下記に説明する。
（イ）携帯できるコンパクトな形の本体上部カバー（１）と本体下部受台（１０）の内側、左右両側面に横長の板材で構成する本体フレーム（５）を配し、その内側の前方からインクの含浸部（２７）を周囲面に有する円筒のインクドラム（２０）、その後方にインクドラム（２０）に接触するように印字ゴムベルト（４）の一方を巻いた印字の際に必要な平面を持ち、両端の上部に９０度回転作動の  為のギヤ（１６）を一体化した角柱ロール（１８）、その後方に印字ゴムベルト（４）の一方を支持する印字文字面（４ａ）の設定用ラッチ（７）を印字ゴムベルト（４）毎に組み込んだ円柱ロール（１１）を設ける。
（ロ）本体フレーム（５）の後方に設けた支点を軸に本体フレーム（５）の上部に角柱ロール（１８）を回転させるラックギヤ（３）を組み込んだスライド把手（２）を内蔵した本体フレームを覆う本体上部カバー（１）、同支点を軸に本体フレーム（５）の下部に用紙（２３）を挿入する挿入ガイド（２２）と用紙ストッパー（１７）を設け、角柱ロール（１８）が９０度回転し設定印字文字面（４ａ）が印字する際の受け台になる本体下部受け台（１０）を設ける。
（ハ）角柱ロール（１８）に一体化されたギヤ（１６）に噛合うラックギヤ（３）を設けたスライド把手（２）を本体上部カバー（１）上，スライド用スリット（２５）の範囲で前方にスライドする事に依り、角柱ロール（１８）が９０度回転し印字ゴムベルト（４）の設定印字文字面（４ａ）が下方に移動し本体上部カバー（１）と本体下部受け台（１０）を上下に挟む事で印字できる印字機。
【実施例】
【０００９】  本発明を使用するときは、
（イ）ラッチカバー（８）を開け印字ゴムベルト（４）を各々使用印字にラッチ（７）で使用印字文字面（４ａ）を設定表示面（４ｂ）で確認しながら設定し、用紙（２３）等を挿入ガイド（２２）から用紙ストッパー（１７）まで差し入れ、ラックギヤ（２）を内蔵したスライド把手（３）を前方にスライドさせる事により、角柱ロール（１８）に組み合わせてあるギヤ（１６）が９０度回転すると同時に印字ゴムベルト（４）上の設定済みの印字文字面（４ａ）もインクドラム（２０）から離れ図５の三角表示で確認できるように９０度回転して下方に移動、本体上部カバー（１）と、印字する用紙（２３）をセットする本体下部受台（１０）を上下に挟む事に依り用紙（２３）に印字できる。
（ロ）スライド把手（３）のスライドは角柱ロール（１８）が９０度まで回転するまでは、スライド把手（３）にくみあわせてあるガイド（１４）が固定ガイド（１３）の上にある為回転動作はロックされ、ガイド（１４）がストッパー（１５）までスライドした時点で角柱ロール（１８）が９０度回転し、設定した印字文字面（４−ａ）を本体上部カバー（１）と本体下部受台（１０）で挟むことで印字できる。
（ハ）インクの補充は、印字後スプリング（１９）の駆動で角柱ロール（１８）が９０度元に戻り、常時板バネ（２１）に、本体フレーム（５）の前方インクドラム（２０）の回転軸支持用長穴（３０）の前後楕円加工の分だけ角柱ロール（１８）側に押され、一方向だけ回転する回転止ラッチ（２４）とラッチストッパー（２９）を設けたインクドラム（２０）の含浸部（２７）に接触したままの状態なので次の印字の為のインクの補充ができ、含浸部（２７）にはインクドラム（２０）に内蔵されているインクが含浸孔により補充できる。
【符号の説明】
【００１０】（１）本体上部カバー，（２）ラックギヤ，（３）スライド把手，（４）印字ゴムベルト、（５）本体フレーム、（６）スプリング、（７）ラッチ、（８）ラッチカバー、（９）支点ロット、（１０）本体下部受台、（１１）円柱ロール、（１２）ストッパー、（１３）固定ガイド、（１４）ガイド、（１５）ストッパー、（１６）ギヤ，（１７）用紙ストッパー、（１８）角柱ロール、（１９）スプリング、（２０）インクドラム、（２１）板バネ、（２２）挿入ガイド、（２３）用紙、（２４）回転止ラッチ、（２５）スライド用スリット、（２６）三角表示、（２７）含浸部、（２８ａ）回転軸、（２８ｂ）回転軸、（２９）ラッチストッパー、（３０）長穴、（３１）含浸孔（４ａ）印字文字面、（４ｂ）設定表示面、
【図１】
2012240410.tif 000003
【図２】
2012240410.tif 000004
【図３】
2012240410.tif 000005
【図４】
2012240410.tif 000006
【図５】
2012240410.tif 000007
【図６】
2012240410.tif 000008
【図７】
2012240410.tif 000009
【図８】
2012240410.tif 000010
【図９】
2012240410.tif 000011
【図１０】
2012240410.tif 000012